(57)【特許請求の範囲】
【請求項１】
ＩＳＤＮ加入者回線の構内交換機やボタン電話装置の主装置等の第２の網端末装置（ＮＴ２）のインターフェースとして使用されるＩＳＤＮインターフェースのＴ／Ｓ点共用装置において、
ＩＳＤＮインターフェースのレイヤ１の規定に従った信号の制御と、ＩＳＤＮインターフェースのレイヤ２の規定に従った信号の制御とを行う送受信部（１４０）と、
音声を含むデータの授受を送受信部（１４０）と行うバス制御部（１４５）と、
ＴインターフェースとＳインターフェースとの切換を行うＮＴ／ＴＥモードスイッチ（１０１）と、
Ｔインターフェース制御用のプログラムとＳインターフェース制御用のプログラムとを格納している記憶部（１４４）と、
ＮＴ／ＴＥモードスイッチ（１０１）によるＴインターフェース使用時には、記憶部（１４４）内のＴインターフェース制御用のプログラムを起動して送受信部（１４０）により受信信号（ＲＸＤ）を受信し、送信信号（ＴＸＤ）を送信するとともに電力の供給を受ける制御と、ＮＴ／ＴＥモードスイッチ（１０１）によるＳインターフェース使用時には、記憶部（１４４）内のＳインターフェース制御用のプログラムを起動し、送受信部（１４０）により受信信号（ＲＸＤ）を送信し、送信信号（ＴＸＤ）を受信するとともに電力を供給する制御とを行うＣＰＵ（１００）とを有し、
前記送受信部（１４０）はＩＳＤＮ信号の送信を行うＩＳＤＮ送信信号用トランス（１０４）と、ＩＳＤＮ信号の受信を行うＩＳＤＮ受信信号用トランス（１０５）と、これらＩＳＤＮ送信信号用トランス（１０４）とＩＳＤＮ受信信号用トランス（１０５）を介してＩＳＤＮ信号の授受を行うレイア１ＬＳＩ（１１２）と、このレイア１ＬＳＩ（１１２）に接続されたレイア２ＬＳＩ（１１３）と、前記ＩＳＤＮ送信信号用トランス（１０４）とＩＳＤＮ受信信号用トランス（１０５）の一次側にあって受電あるいは給電を行う受電回路（１０８）、給電回路（１０９）と、これらを切り換える切換手段（１４１）とを有することを特徴とするＩＳＤＮインターフェースのＴ／Ｓ点共用装置。
【発明の詳細な説明】
【０００１】
【産業上の利用分野】
本発明はＩＳＤＮ（サービス総合デジタル網）のインターフェースに関し、特に構内交換機（ＰＢＸ）やボタン電話装置の主装置等の第２の網端末装置ＮＴ２のインターフェースとして使用され、Ｔ点、Ｓ点のインターフェースの機能を持つＩＳＤＮインターフェースのＴ／Ｓ点共用装置に関する。
【０００２】
【従来の技術】
今日、パソコン等のデータ端末やＧ４ファクシミリ等のデジタル機器の普及によりＩＳＤＮを使用する機会が増え、構内交換機やボタン電話装置の主装置等をＩＳＤＮ回線に接続して使用する場合も多くなった。図２にＩＳＤＮ加入者系の構成を示す。図中１は交換局にあるＩＳＤＮ交換機、２は利用者の宅内であり、両者は加入者線によって接続されている。この加入者線は宅内２にて第１の網終端装置ＮＴ１に接続されていて、そこから直接形態１端末装置に接続される場合と、第２の網端末装置ＮＴ２に接続され、さらに形態１端末装置ＴＥ１に接続される場合と、端末アダプタ装置ＴＡを介して形態２端末装置ＴＥ２に接続される場合、といった利用態様がある。ここで第１の網終端装置ＮＴ１は加入者線でデジタル信号を伝送するための宅内２側の送受信装置で、第２の網端末装置ＮＴ２は構内交換機（ＰＢＸ）やボタン電話装置の主装置に相当するもので、配下の内線にＩＳＤＮ端末を収容する。形態１端末装置ＴＥ１はＩＳＤＮ用の標準端末であり、第１の網終端装置ＮＴ１に直接接続される場合と、第２の網端末装置ＮＴ２を介して接続される場合がある。端末アダプタ装置ＴＡはＩＳＤＮ対応機能を持たない既存端末である形態２端末装置ＴＥ２をＩＳＤＮに接続するためのインターフェース変換機能を持つ装置である。
【０００３】
このような加入者系のインターフェースは端末に近い方からそれぞれ、Ｒ，Ｓ，Ｔ及び図示しないＵの４つのインターフェースが規定されている。Ｕインターフェースは第１の網終端装置ＮＴ１とＩＳＤＮ交換機１の間の加入者と電話局とを結ぶインターフェースである。Ｔインターフェースは第１の網終端装置ＮＴ１と第２の網端末装置ＮＴ２とのあいだの点のインターフェースで、Ｓインターフェースは第２の網端末装置ＮＴ２と形態１端末装置ＴＥ１との間の点のインターフェースであり、形態１端末装置ＴＥ１は第１の網終端装置ＮＴ１に接続される場合もあるため、そのような場合にはこの点をＳ／Ｔ点と呼んでいる。
【０００４】
次に加入者系の基本インターフェースにおける信号の流れを図３に示す。
図では第２の網端末装置ＮＴ２を省略し、Ｓ／Ｔ点のインターフェースとして表している。第１の網終端装置ＮＴ１からは上り／下り各一対の宅内配線が延出していて、これに各形態１端末装置ＴＥ１がソケット３を介して接続され、４線式の全２重通信を行うようになっており、その末端は終端抵抗で処理されている。網側から着信した信号、すなわちＩＳＤＮ交換機１からの信号は第１の網終端装置ＮＴ１を介して受信信号ＲＸＤとして各形態１端末装置ＴＥ１に送出され、各形態１端末装置ＴＥ１からの信号は送信信号ＴＸＤとして第１の網終端装置ＮＴ１に送信される。また、第１の網終端装置ＮＴ１から各形態１端末装置ＴＥ１へ最大４２０ｍＷの給電が行われている。
【０００５】
また、例えば図に示すように着信信号ＲＸＤには、情報チャネルＢ１，Ｂ２、信号チャネルＤ、競合制御用チャネルＥ等が含まれており、送信信号ＴＸＤには、情報チャネルＢ１，Ｂ２、信号チャネルＤ等はあるが、競合制御用チャネルＥはない。このような電気信号の形態についての取決めはレイヤ１として詳細に規定されており、その外にメッセージ転送のためのリンク設定制御、誤り制御等についてレイヤ２として規定されている。
【０００６】
ところで、第１の網終端装置ＮＴ１と形態１端末装置ＴＥ１との間にＰＢＸや主装置等の第２の網端末装置ＮＴ２を置くと、この第２の網端末装置ＮＴ２の第１の網終端装置ＮＴ１側と形態１端末装置ＴＥ１側にそれぞれＴインターフェース、Ｓインターフェースを設ける必要があるが、図４に示すように主装置等の第２の網端末装置ＮＴ２のＴインターフェースと、Ｓインターフェースでは信号の向きが逆になる。すなわち、図４に示すように、Ｔインターフェースでは受信信号ＲＸＤを受信し、送信信号ＴＸＤを送信する。これに対し、Ｓインターフェースでは受信信号ＲＸＤを送信し、送信信号ＴＸＤを受信する。また、Ｔインターフェースでは第１の網終端装置ＮＴ１側からの電力の供給を受けるが、Ｓインターフェースでは形態１端末装置ＴＥ１に対し電力を供給する。なお、受信信号ＲＸＤと送信信号ＴＸＤとでは上述の如く競合制御用チャネルＥの有／無等その形態においても若干異なったものとなる。
【０００７】
従って、従来はＴインターフェースと、Ｓインターフェースとで、それぞれ異なったハードウエア、ソフトウエアを用意して使用していたため、Ｔ点からＳ点、またはＳ点からＴ点へのインターフェース変更を行う場合、ソフトウエアを含めたハードウエアの変更が必要となり、機材の費用が２倍になり、また、変更のための手間と時間を要していた。
【０００８】
本発明はこのような点に鑑みなされたものでその目的とするところは、Ｔインターフェースと、Ｓインターフェースの両方のインターフェースをハードウエア、ソフトウエアの両面で同時にサポートでき、Ｔ点からＳ点、またはＳ点からＴ点へのインターフェース変更が、簡単かつ安価に実現可能なＩＳＤＮインターフェースのＴ／Ｓ点共用装置を提供することにある。
【０００９】
【課題を解決するための手段】
上記目的を達成するために、請求項１の発明は、ＩＳＤＮ加入者回線の構内交換機やボタン電話装置の主装置等の第２の網端末装置のインターフェースとして使用されるＩＳＤＮインターフェースのＴ／Ｓ点共用装置において、ＩＳＤＮインターフェースのレイヤ１の規定に従った信号の制御と、ＩＳＤＮインターフェースのレイヤ２の規定に従った信号の制御とを行う送受信部と、音声を含むデータの授受を送受信部と行うバス制御部と、ＴインターフェースとＳインターフェースとの切換を行うＮＴ／ＴＥモードスイッチと、Ｔインターフェース制御用のプログラムとＳインターフェース制御用のプログラムとを格納している記憶部と、ＮＴ／ＴＥモードスイッチによるＴインターフェース使用時には、記憶部内のＴインターフェース制御用のプログラムを起動して送受信部により受信信号を受信し、送信信号を送信するとともに電力の供給を受ける制御と、ＮＴ／ＴＥモードスイッチによるＳインターフェース使用時には、記憶部内のＳインターフェース制御用のプログラムを起動し、送受信部により受信信号を送信し、送信信号を受信するとともに電力を供給する制御とを行うＣＰＵとを有することを特徴とするＩＳＤＮインターフェースのＴ／Ｓ点共用装置である。
【００１０】
そして、送受信部はＩＳＤＮ信号の送信を行うＩＳＤＮ送信信号用トランスと、ＩＳＤＮ信号の受信を行うＩＳＤＮ受信信号用トランスと、これらＩＳＤＮ送信信号用トランスとＩＳＤＮ受信信号用トランスを介してＩＳＤＮ信号の授受を行うレイア１ＬＳＩと、このレイア１ＬＳＩに接続されたレイア２ＬＳＩと、前記ＩＳＤＮ送信信号用トランスとＩＳＤＮ受信信号用トランスの一次側にあって受電あるいは給電を行う受電回路、給電回路と、これらを切り換える切換手段とを有することを特徴とした。
【００１１】
【作用】
送受信部１４０はＩＳＤＮ用信号の授受を行う部分で、ＩＳＤＮのインターフェースとして要求されるレイヤ１、レイヤ２等の規律に従って、Ｓ点、Ｔ点双方ににおける信号の授受に必要な機能や電力の授受に必要な機能を有しており、これにより受信信号ＲＸＤを受信し、送信信号ＴＸＤを送信するとともに電力の供給を受け、あるいは、受信信号ＲＸＤを送信し、送信信号ＴＸＤを受信するとともに電力を供給する。記憶部１４４はＴインターフェース制御用のプログラムとＳインターフェース制御用のプログラムを内蔵していて、必要に応じてどちらか一方を読み出すことが可能となっている。バス制御部１４５は構内交換機やボタン電話装置の主装置等の内部バスに接続されて、この内部バスを介して構内交換機やボタン電話装置の主装置等のシステムＣＰＵと交信したり音声信号の授受を行う。そして、ＣＰＵ１００がＴインターフェースとＳインターフェースの切換用のＮＴ／ＴＥモードスイッチ１０１を切り換えることにより選択された、記憶部１４４内のＴインターフェース制御用のプログラムあるいはＳインターフェース制御用のプログラムを実行することにより、ＴインターフェースあるいはＳインターフェースのいずれとしても動作することができる。
【００１２】
また、送受信部１４０内のレイヤ１ＬＳＩ１１２と、レイヤ２ＬＳＩ１１３はそれぞれ、デジタル加入者線信号方式として規定されたレイヤ１、レイヤ２の規律に従って信号を制御するＬＳＩで、ＣＰＵ１００からのコマンドにより必要な信号の制御を行い、制御ソフトによってＴ点にもＳ点にも対応できる機能を有する。切換手段１４１はＣＰＵ１００からの命令により、受電回路１０８と給電回路１０９を切り換える。
【００１３】
次に本発明の一実施例について図に基づいて説明する。図１は本発明の代表的実施例として、構内交換機や主装置の内部に組み込まれて使用されるインターフェース装置の基本構成を示した図である。
図において１５０はＩＳＤＮ加入者線に接続するための入／出力コネクタ、１４０は送受信部で、１４４は制御用プログラム等を記憶する記憶部、１４５は構内交換機やボタン電話装置の主装置等の内部バスに接続されて、信号の授受を行うバス制御部、１００は送受信部１４０やバス制御部１４５と接続されこれらを制御するＣＰＵ、１０１はＴ点と、Ｓ点のインターフェースを切り換えるＮＴ／ＴＥモードスイッチ、１５１は構内交換機やボタン電話装置の主装置等の内部バスと接続するための内部バス用コネクタである。
【００１４】
また、送受信部１４０の構成要素として、１０４はＩＳＤＮ信号を送信するためのＩＳＤＮ送信信号用トランス、１０５はＩＳＤＮ信号を受信するためのＩＳＤＮ受信信号用トランス、１０８はＩＳＤＮ回線から電力の供給を受ける受電回路、１０９はＩＳＤＮ回線へ電力を供給する給電回路、１４１はこの受電回路１０８と給電回路１０９を切り換えるための切換手段、１１２はＩＳＤＮ信号をレイヤ１の規定に従って送受信するためのレイヤ１ＬＳＩ、１１３はＩＳＤＮ信号をレイヤ２の規定に従って送受信するためのレイヤ２ＬＳＩ、１１６はこのレイヤ２ＬＳＩ１１３が扱うデータを格納するためのＲＡＭである。
【００１５】
また、記憶部１４４の構成要素として、１１８はＣＰＵ１００が扱うデータを格納するＲＡＭ、１１９はＣＰＵ１００が実行するためのプログラム等を格納するＢｏｏｔＲＯＭで、その所定の領域にはＴインターフェース制御用のプログラムとＳインターフェース制御用のプログラムが格納されている。
【００１６】
また、バス制御部１４５の構成要素として、１２１はクロック信号等の基準となる所定の周波数の信号を発生する発振器、１２２は網同期用ＬＳＩ、１２３はシステム制御バス用インターフェースＬＳＩ、１２４はシステム音声バス用ＬＳＩである。
【００１７】
しかして、入／出力コネクタ１５０にはＩＳＤＮ送信信号用トランス１０４とＩＳＤＮ受信信号用トランス１０５とがそれぞれ接続されていて、また、それぞれ切換手段１４１を介して受電回路１０８または給電回路１０９が接続されるようになっている。ＩＳＤＮ送信信号用トランス１０４とＩＳＤＮ受信信号用トランス１０５の２次側はそれぞれレイア１ＬＳＩ１１２に接続されていて、このレイア１ＬＳＩ１１２によりＩＳＤＮの信号が制御される。また、レイア１ＬＳＩ１１２にはレイア２ＬＳＩ１１３が接続されており、さらに、レイア１ＬＳＩ１１２とレイア２ＬＳＩ１１３にはこの２つのＬＳＩの扱うデータを格納するためのＲＡＭ１１６が接続されている。レイア１ＬＳＩ１１２とレイア２ＬＳＩ１１３にはアドレス／コントロールバス１３２とデータバス１３３がそれぞれ接続されていて、ＣＰＵ１００やバス制御部１４５と接続される他、レイア１ＬＳＩ１１２はシステム音声バス用ＬＳＩと接続され、ＩＳＤＮ  Ｂチャンネルデータの授受を行っている。
【００１８】
記憶部１４４内のＲＡＭ１１８とＢｏｏｔＲＯＭ１１９は、それぞれアドレス／コントロールバス１３２とデータバス１３３とを介してＣＰＵ１００等と接続されている。
【００１９】
バス制御部１４５内の網同期用ＬＳＩ１２２はレイヤ１ＬＳＩ１１２と接続されるとともに、システム音声バス用ＬＳＩ１２４と接続されている。また、発振器１２１と接続されクロック信号の供給を受けるとともに、アドレス／コントロールバス１３２とデータバス１３３と接続されている。システム制御バス用インターフェースＬＳＩ１２３はアドレス／コントロールバス１３２とデータバス１３３を介してＣＰＵ１００等と接続されるとともに、構内交換機や主装置の内部バスである制御ＢＵＳと接続され、必要に応じてシステムＣＰＵとデータの授受等を行う。システム音声バス用ＬＳＩ１２４も同様に構内交換機や主装置の内部バスである音声ＢＵＳと接続され、音声データの授受等を行う。
【００２０】
ＣＰＵ１００はアドレス／コントロールバス１３２とデータバス１３３を介して送受信部１４０、記憶部１４４、バス制御部１４５等と接続され制御プログラムに従ってこれらを制御するとともに、ＮＴ／ＴＥモードスイッチ１０１と接続されている。
【００２１】
このような構成の装置において、送受信部１４０内のレイヤ１ＬＳＩ１１２はＩＳＤＮインターフェースのレイヤ１の規定に従って信号を制御するＬＳＩで、ＣＰＵ１００からのコマンド等に応じてＩＳＤＮのＢｃｈデータの授受等を行うもので、前述の送信信号ＴＸＤと受信信号ＲＸＤのフレーム構造や通信手順の相違は全てソフトウエアでサポートされ、このレイヤ１ＬＳＩ１１２を制御することにより実現されている。また、レイヤ２ＬＳＩ１１３も同様にレイヤ２の規定に従ってＩＳＤＮ信号を制御するＬＳＩでレイヤ１より一階層上の構造である通信効率等について規定している。そして、レイヤ１ＬＳＩ１１２とレイヤ２ＬＳＩ１１３とは接続されていて一体として動作する。
【００２２】
バス制御部１４５はＣＰＵ１００が外部バスと接続するための制御用のシステム制御バス用インターフェースＬＳＩと音声データ等の授受を行うシステム音声バス用ＬＳＩ１２４により構内交換機や主装置と接続されて、必要なデータの授受や制御を受ける。また、網同期用ＬＳＩ１２２は網のフレームとシステム内のフレームの同期をとるものである。
【００２３】
このインターフェース装置をＴ点で使用する場合には、ＮＴ／ＴＥモードスイッチ１０１をＮＴ側に切り換える。するとＣＰＵ１００がこれを認識して、ＢｏｏｔＲＯＭ１１９の所定の領域のＴインターフェース用プログラムを起動させ、レイヤ１ＬＳＩ１１２とレイヤ２ＬＳＩ１１３等を制御して  受信信号ＲＸＤを受信し、送信信号ＴＸＤを送信する、そして、切換手段１４１を受電回路１０８に切り換え、電力の供給を受ける。
【００２４】
Ｓ点で使用する場合には逆にＮＴ／ＴＥモードスイッチ１０１をＴＥ側にすれば、ＢｏｏｔＲＯＭ１１９の所定の領域のＳインターフェース用プログラムが起動し、受信信号ＲＸＤを送信し、送信信号ＴＸＤを受信する制御を行い、切換手段１４１を給電回路１０９に切り換え、電力を供給する。
【００２５】
【発明の効果】
以上のように本発明によれば、ＩＳＤＮのＴインターフェースとＳインターフェースの切換を、ハードウエア、ソフトウエアを変えずにスイッチの切換だけで変更可能としたので、Ｔ点からＳ点、あるいはＳ点からＴ点へのインターフェースの変更が簡単かつ安価にできるという効果を有する。
【図面の簡単な説明】
【図１】本発明の一実施例の基本構成を示した図である。
【図２】ＩＳＤＮ加入者系の構成を示した図である。
【図３】加入者系の基本インターフェースにおける信号の流れを示した図である。
【図４】Ｔ点とＳ点での信号の向き等を示した図である。
【符号の説明】
１    ＩＳＤＮ交換機
２    宅内
３    ソケット
ＮＴ１  第１の網終端装置
ＮＴ２  第２の網終端装置
ＴＥ１  形態１端末装置
ＴＥ２  形態２端末装置
ＴＡ    端末アダプタ装置
１００  ＣＰＵ
１０１  ＮＴ／ＴＥモードスイッチ
１０４  ＩＳＤＮ送信信号用トランス
１０５  ＩＳＤＮ受信信号用トランス
１０８  受電回路
１０９  給電回路
１１２  レイア１ＬＳＩ
１１３  レイア２ＬＳＩ
１１６  ＲＡＭ
１１８  ＲＡＭ
１１９  ＢｏｏｔＲＯＭ
１２０  ＲＡＭ
１２１  発振機
１２２  網同期用ＬＳＩ
１２３  システム制御バス用インターフェースＬＳＩ
１２４  システム音声バス用ＬＳＩ
１３２  アドレス／コントロールバス
１３３  データバス
１４０  送受信部
１４１  切換手段
１４４  記憶部
１４５  バス制御部
１５０  入／出力コネクタ
１５１  内部バス用コネクタ
【図１】
0004040113.tif 000002
【図２】
0004040113.tif 000003
【図３】
0004040113.tif 000004
【図４】
0004040113.tif 000005